【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
像担持体と、前記像担持体表面を帯電する帯電部材と、前記像担持体表面に形成された静電潜像にトナーを付着させてトナー像として現像する現像装置とをカートリッジ枠体に一体的に組み込んで構成され、画像形成装置本体に対して装着される着脱自在なプロセスカートリッジにおいて、
前記像担持体表面に向けて前記帯電ローラを付勢する付勢部材と、
前記現像装置の現像剤収納部の開口部を閉鎖するシール部材と、
前記シール部材に固定されて前記カートリッジ枠体から突出された把手部材と、
前記付勢部材の付勢力に抗して前記像担持体表面から前記帯電ローラを離間させる第１の離間部材と、
前記第１の離間部材と前記把手部材とを連結する第１の連結部材と、を備え、
前記第１の離間部材は、
前記把手部材を前記カートリッジ枠体から引き抜くことで前記シール部材を破砕して前記現像剤収納部の開口部を開口させる動作に連動して、前記第１の連結部材を介して前記第１の離間部材を引き抜いて前記帯電ローラを前記像担持体表面に当接させる、
ことを特徴とするプロセスカートリッジ。
【請求項２】
像担持体と、前記像担持体表面を帯電する帯電部材と、前記像担持体表面に形成された静電潜像にトナーを付着させてトナー像として現像する現像装置とをカートリッジ枠体に一体的に組み込んで構成され、画像形成装置本体に対して装着される着脱自在なプロセスカートリッジにおいて、
前記像担持体表面に向けて前記帯電ローラを付勢する付勢部材と、
前記現像装置の現像剤収納部の開口部を閉鎖するシール部材と、
前記シール部材に固定されて前記カートリッジ枠体から突出された把手部材と、
前記把手部材と一体に形成され、前記付勢部材の付勢力に抗して前記像担持体表面から前記帯電ローラを離間させる第１の離間部材と、を備え、
前記第１の離間部材は、
前記把手部材を前記カートリッジ枠体から引き抜くことで前記シール部材を破砕して前記現像剤収納部の開口部を開口させる動作に連動して、前記第１の離間部材を引き抜いて前記帯電ローラを前記像担持体表面に当接させる、
ことを特徴とするプロセスカートリッジ。
【請求項３】
前記第１の離間部材は、前記像担持体表面と前記帯電ローラとの間に挿入されている、
ことを特徴とする請求項１又は２に記載のプロセスカートリッジ。
【請求項４】
前記第１の離間部材は、前記帯電ローラの長手方向の一方の端部において前記像担持体表面と前記帯電ローラとの間に挿入されている、
ことを特徴とする請求項３に記載のプロセスカートリッジ。
【請求項５】
像担持体と、前記像担持体表面を帯電する帯電部材と、前記像担持体表面に形成された静電潜像にトナーを付着させてトナー像として現像する現像装置とをカートリッジ枠体に一体的に組み込んで構成され、画像形成装置本体に対して装着される着脱自在なプロセスカートリッジにおいて、
前記像担持体表面に向けて前記帯電ローラを付勢する付勢部材と、
前記現像装置の現像剤収納部の開口部を閉鎖するシール部材と、
前記シール部材に固定されて前記カートリッジ枠体から突出された把手部材と、
前記付勢部材の付勢力に抗して前記像担持体表面から前記帯電ローラを離間させる第１の離間部材と、
前記像担持体表面から前記現像ローラを離間させる第２の離間部材と、
前記第１の離間部材と前記第２の離間部材とを連結する第２の連結部材と、
前記第２の離間部材と前記把手部材とを連結する第３の連結部材と、を備え、
前記第２、第１の離間部材は、
前記把手部材を前記カートリッジ枠体から引き抜くことで前記シール部材を破砕して前記現像剤収納部の開口部を開口させる動作に連動して、前記第３の連結部材を介して前記第２の離間部材を引き抜いて前記現像ローラを前記像担持体表面に当接させるとともに、前記第２の連結部材を介して前記第１の離間部材を引き抜いて前記帯電ローラを前記像担持体表面に当接させる、
ことを特徴とするプロセスカートリッジ。
【請求項６】
前記第１の離間部材は、前記像担持体表面と前記帯電ローラとの間に挿入され、
前記第２の離間部材は、前記像担持体表面と前記現像装置の現像ローラとの間に挿入される、
ことを特徴とする請求項５に記載のプロセスカートリッジ。
【請求項７】
前記第１の離間部材の前記像担持体半径方向の寸法は、前記帯電ローラの大径部の半径と小径部の半径との差より大きく、プロセスカートリッジ稼働時の前記カートリッジ枠体及び前記現像ローラ小径部と前記像担持体表面との間隙より小さく、かつ前記第２の離間部材の前記像担持体半径方向の寸法は、プロセスカートリッジ稼働時の前記カートリッジ枠体及び前記現像ローラ小径部と前記像担持体表面との間隙より大きく設定されている、
ことを特徴とする請求項５又は６に記載のプロセスカートリッジ。
【請求項８】
前記第１の離間部材及び前記第２の離間部材に溝を設け、前記カートリッジ枠体に前記溝に係合する壁状の規制部材を設けた、
ことを特徴とする請求項７に記載のプロセスカートリッジ。
【請求項９】
像担持体本体と、前記像担持体本体に装着されて使用される着脱自在なプロセスカートリッジとを備えた画像形成装置において、
前記プロセスカートリッジが請求項１ないし８のいずれかに記載のプロセスカートリッジである、
ことを特徴とする画像形成装置。
【手続補正２】
【補正対象書類名】明細書
【補正対象項目名】０００９
【補正方法】変更
【補正の内容】
【０００９】
【課題を解決するための手段】
上述の目的を達成するための請求項１に係る本発明は、像担持体と、前記像担持体表面を帯電する帯電部材と、前記像担持体表面に形成された静電潜像にトナーを付着させてトナー像として現像する現像装置とをカートリッジ枠体に一体的に組み込んで構成され、画像形成装置本体に対して装着される着脱自在なプロセスカートリッジにおいて、前記像担持体表面に向けて前記帯電ローラを付勢する付勢部材と、前記現像装置の現像剤収納部の開口部を閉鎖するシール部材と、前記シール部材に固定されて前記カートリッジ枠体から突出された把手部材と、前記付勢部材の付勢力に抗して前記像担持体表面から前記帯電ローラを離間させる第１の離間部材と、前記第１の離間部材と前記把手部材とを連結する第１の連結部材と、を備え、前記第１の離間部材は、前記把手部材を前記カートリッジ枠体から引き抜くことで前記シール部材を破砕して前記現像剤収納部の開口部を開口させる動作に連動して、前記第１の連結部材を介して前記第１の離間部材を引き抜いて前記帯電ローラを前記像担持体表面に当接させる、ことを特徴とする。
【手続補正３】
【補正対象書類名】明細書
【補正対象項目名】００１０
【補正方法】変更
【補正の内容】
【００１０】
請求項２に係る本発明は、像担持体と、前記像担持体表面を帯電する帯電部材と、前記像担持体表面に形成された静電潜像にトナーを付着させてトナー像として現像する現像装置とをカートリッジ枠体に一体的に組み込んで構成され、画像形成装置本体に対して装着される着脱自在なプロセスカートリッジにおいて、前記像担持体表面に向けて前記帯電ローラを付勢する付勢部材と、前記現像装置の現像剤収納部の開口部を閉鎖するシール部材と、前記シール部材に固定されて前記カートリッジ枠体から突出された把手部材と、前記把手部材と一体に形成され、前記付勢部材の付勢力に抗して前記像担持体表面から前記帯電ローラを離間させる第１の離間部材と、を備え、前記第１の離間部材は、前記把手部材を前記カートリッジ枠体から引き抜くことで前記シール部材を破砕して前記現像剤収納部の開口部を開口させる動作に連動して、前記第１の離間部材を引き抜いて前記帯電ローラを前記像担持体表面に当接させる、ことを特徴とする。
【手続補正４】
【補正対象書類名】明細書
【補正対象項目名】００１１
【補正方法】変更
【補正の内容】
【００１１】
請求項３に係る本発明は、請求項１又は２のプロセスカートリッジにおいて、
前記第１の離間部材は、前記像担持体表面と前記帯電ローラとの間に挿入されている、ことを特徴とする。
請求項４に係る本発明は、請求項３のプロセスカートリッジにおいて、前記第１の離間部材は、前記帯電ローラの長手方向の一方の端部において前記像担持体表面と前記帯電ローラとの間に挿入されている、ことを特徴とする。
【手続補正５】
【補正対象書類名】明細書
【補正対象項目名】００１２
【補正方法】変更
【補正の内容】
【００１２】
請求項５に係る本発明は、像担持体と、前記像担持体表面を帯電する帯電部材と、前記像担持体表面に形成された静電潜像にトナーを付着させてトナー像として現像する現像装置とをカートリッジ枠体に一体的に組み込んで構成され、画像形成装置本体に対して装着される着脱自在なプロセスカートリッジにおいて、前記像担持体表面に向けて前記帯電ローラを付勢する付勢部材と、前記現像装置の現像剤収納部の開口部を閉鎖するシール部材と、前記シール部材に固定されて前記カートリッジ枠体から突出された把手部材と、前記付勢部材の付勢力に抗して前記像担持体表面から前記帯電ローラを離間させる第１の離間部材と、前記像担持体表面から前記現像ローラを離間させる第２の離間部材と、前記第１の離間部材と前記第２の離間部材とを連結する第２の連結部材と、前記第２の離間部材と前記把手部材とを連結する第３の連結部材と、を備え、前記第２、第１の離間部材は、前記把手部材を前記カートリッジ枠体から引き抜くことで前記シール部材を破砕して前記現像剤収納部の開口部を開口させる動作に連動して、前記第３の連結部材を介して前記第２の離間部材を引き抜いて前記現像ローラを前記像担持体表面に当接させるとともに、前記第２の連結部材を介して前記第１の離間部材を引き抜いて前記帯電ローラを前記像担持体表面に当接させる、ことを特徴とする。
【手続補正６】
【補正対象書類名】明細書
【補正対象項目名】００１３
【補正方法】変更
【補正の内容】
【００１３】
請求項６に係る本発明は、請求項５のプロセスカートリッジにおいて、前記第１の離間部材は、前記像担持体表面と前記帯電ローラとの間に挿入され、前記第２の離間部材は、前記像担持体表面と前記現像装置の現像ローラとの間に挿入される、ことを特徴とする。
請求項７に係る本発明は、請求項５又は６のプロセスカートリッジにおいて、前記第１の離間部材の前記像担持体半径方向の寸法は、前記帯電ローラの大径部の半径と小径部の半径との差より大きく、プロセスカートリッジ稼働時の前記カートリッジ枠体及び前記現像ローラ小径部と前記像担持体表面との間隙より小さく、かつ前記第２の離間部材の前記像担持体半径方向の寸法は、プロセスカートリッジ稼働時の前記カートリッジ枠体及び前記現像ローラ小径部と前記像担持体表面との間隙より大きく設定されている、ことを特徴とする。
【手続補正７】
【補正対象書類名】明細書
【補正対象項目名】００１４
【補正方法】変更
【補正の内容】
【００１４】
請求項８に係る本発明は、請求項７のプロセスカートリッジにおいて、前記第１の離間部材及び前記第２の離間部材に溝を設け、前記カートリッジ枠体に前記溝に係合する壁状の規制部材を設けた、
ことを特徴とする。
【手続補正８】
【補正対象書類名】明細書
【補正対象項目名】００１５
【補正方法】変更
【補正の内容】
【００１５】
請求項９に係る本発明は、像担持体本体と、前記像担持体本体に装着されて使用される着脱自在なプロセスカートリッジとを備えた画像形成装置において、前記プロセスカートリッジが請求項１ないし８のいずれかに記載のプロセスカートリッジである、ことを特徴とする。